(57)【要約】【課題】利便性を向上させることのできる画像処理装置を提供する。【解決手段】少なくとも一つの情報を格納する格納手段（ＵＳＢメモリ１１０）を着脱自在に装着する装着手段（ＵＳＢポート１０８）と、画像処理を行う画像処理手段（スキャナ部２００）と、装着手段を介して格納手段に格納されている情報または画像処理手段による処理結果を記憶する記憶手段（ハードディスク装置１５２）と、格納手段に格納されている情報の状態を判定する判定手段（処理情報判定部１５３）と、該判定手段の判定結果に応じて、記憶手段による格納手段に対する情報記憶処理を制御する制御手段（制御部１５０）とを備える。【選択図】図２
2011155373.tif 000002
【特許請求の範囲】
【請求項１】
少なくとも一つの情報を格納する格納手段を着脱自在に装着する装着手段と、
画像処理を行う画像処理手段と、
前記装着手段を介して前記格納手段に格納されている前記情報または前記画像処理手段による処理結果を記憶する記憶手段と、
前記格納手段に格納されている情報の状態を判定する判定手段と、
該判定手段の判定結果に応じて、前記記憶手段から前記格納手段への情報記憶処理を制御する制御手段と、
を備えることを特徴とする画像処理装置。
【請求項２】
前記制御手段は、
前記判定手段の判定結果に応じて、前記格納手段に格納されている情報を削除または移動させるように制御することを特徴とする請求項１に記載の画像処理装置。
【請求項３】
前記制御手段は、
前記判定手段の判定結果に応じて、前記格納手段に格納されている情報を予め定められた処理単位で前記記憶手段に戻して、当該処理単位で編集処理を行うことを特徴とする請求項１または請求項２の何れかに記載の画像処理装置。
【請求項４】
前記編集処理は、
前記情報の解像度、階調、色数の少なくとも一つを変更する処理であることを特徴とする請求項３に記載の画像処理装置。
【請求項５】
前記編集処理は、
前記情報の圧縮率を変更する処理であることを特徴とする請求項３に記載の画像処理装置。
【請求項６】
前記判定手段は、
前記格納手段における情報のオーバーフローの有無を検知する検知手段をさらに備えることを特徴とする請求項１から請求項５の何れかに記載の画像処理装置。
【請求項７】
前記制御手段は、
前記検知手段で、前記格納手段における情報のオーバーフローが検知された場合に、前記記憶手段からの情報記憶処理を中断するように制御することを特徴とする請求項６に記載の画像処理装置。
【請求項８】
前記格納手段に格納される情報は、各情報の識別情報を含み、
前記制御手段は、
前記識別情報に基づいて前記記憶手段から前記格納手段への情報記憶処理を制御することを特徴とする請求項１から請求項７の何れかに記載の画像処理装置。
【請求項９】
前記装着手段への前記格納手段の着脱を検出する検出手段をさらに備え、
前記制御手段は、
前記記憶手段から前記格納手段への情報記憶処理の中断中において、前記検出手段によって前記格納手段の前記装着手段への再装着が検出された場合に、前記格納手段の空き容量を予測し、当該予測結果に基づいて前記情報記憶処理を制御することを特徴とする請求項１から請求項８の何れかに記載の画像処理装置。
【請求項１０】
請求項１から請求項９の何れかに記載の少なくとも１の画像処理装置と、
通信手段を介して前記画像処理装置と接続される少なくとも１の情報処理装置と、
から構成されることを特徴とする画像処理システム。
【請求項１１】
装着手段を介して着脱自在に装着される格納手段に格納されている情報または前記画像処理手段による処理結果を記憶する記憶過程と、
前記格納手段に格納されている情報を判定する判定過程と、
該判定結果に応じて、前記格納手段への情報記憶処理を制御する制御過程と、
を演算手段に実行させることを特徴とする処理プログラム。
【発明の詳細な説明】
【技術分野】
【０００１】
本発明は、画像処理装置、画像処理システムおよび処理プログラムに関するものである。
【背景技術】
【０００２】
近年、外部記憶装置の一種としてのＵＳＢ（Ｕｎｉｖｅｒｓａｌ Ｓｅｒｉａｌ Ｂｕｓ）メモリの普及により、ＵＳＢメモリに文書データや画像データ等を保存して携帯する場合が増えている。
【０００３】
このような状況に対応させるために画像処理装置の一例としての複合機やカラープリンタ等では、ＵＳＢメモリ内に格納されたデータを直接印刷するいわゆるＵＳＢメモリプリント機能および紙媒体の資料をスキャナで電子化したデータをＵＳＢメモリに保存するいわゆるＵＳＢメモリスキャン（スキャントゥーメディアあるいはスキャントゥーＵＳＢなどとも称される）機能を搭載したものが開発されている。
【０００４】
このような外部記憶装置を接続して画像処理を行う画像処理装置に関する技術は種々提案されている。
【０００５】
例えば、特開２００８−１１８３３３号公報には、スキャンデータをＵＳＢメモリへ転送すると共に、画像処理装置としての複合機本体のメモリに格納しておき、メモリオーバによる転送処理中断後の再開時には、本体メモリに記憶したスキャンデータを転送する技術が開示されている。
【先行技術文献】
【特許文献】
【０００６】
【特許文献１】特開２００８−１１８３３３号公報
【発明の概要】
【発明が解決しようとする課題】
【０００７】
本発明は、利便性を向上させることのできる画像処理装置、画像処理システムおよび処理プログラムを提供することを目的とする。
【課題を解決するための手段】
【０００８】
前記課題を解決するため、請求項１の発明に係る画像処理装置は、少なくとも一つの情報を格納する格納手段を着脱自在に装着する装着手段と、画像処理を行う画像処理手段と、前記装着手段を介して前記格納手段に格納されている前記情報または前記画像処理手段による処理結果を記憶する記憶手段と、前記格納手段に格納されている情報の状態を判定する判定手段と、該判定手段の判定結果に応じて、前記記憶手段から前記格納手段への情報記憶処理を制御する制御手段とを備えることを特徴とする。
【０００９】
請求項２の発明に係る画像処理装置は、請求項１に記載の発明について、前記制御手段は、前記判定手段の判定結果に応じて、前記格納手段に格納されている情報を削除または移動させるように制御することを特徴とする。
【００１０】
請求項３の発明に係る画像処理装置は、請求項１または請求項２の何れかに記載の発明について、前記制御手段は、前記判定手段の判定結果に応じて、前記格納手段に格納されている情報を予め定められた処理単位で前記記憶手段に戻して、当該処理単位で編集処理を行うことを特徴とする。
【００１１】
請求項４の発明に係る画像処理装置は、請求項３に記載の発明について、前記編集処理は、前記情報の解像度、階調、色数の少なくとも一つを変更する処理であることを特徴とする。
【００１２】
請求項５の発明に係る画像処理装置は、請求項３に記載の発明について、前記編集処理は、前記情報の圧縮率を変更する処理であることを特徴とする。
【００１３】
請求項６の発明に係る画像処理装置は、請求項１から請求項５の何れかに記載の発明について、前記判定手段は、前記格納手段における情報のオーバーフローの有無を検知する検知手段をさらに備えることを特徴とする。
【００１４】
請求項７の発明に係る画像処理装置は、請求項６に記載の発明について、前記制御手段は、前記検知手段で、前記格納手段における情報のオーバーフローが検知された場合に、前記記憶手段からの情報記憶処理を中断するように制御する。
【００１５】
請求項８の発明に係る画像処理装置は、請求項１から請求項７の何れかに記載の発明について、前記格納手段に格納される情報は、各情報の識別情報を含み、前記制御手段は、前記識別情報に基づいて前記記憶手段から前記格納手段への情報記憶処理を制御することを特徴とする。
【００１６】
請求項９の発明に係る画像処理装置は、請求項１から請求項８の何れかに記載の発明について、前記装着手段への前記格納手段の着脱を検出する検出手段をさらに備え、前記制御手段は、前記記憶手段から前記格納手段への情報記憶処理の中断中において、前記検出手段によって前記格納手段の前記装着手段への再装着が検出された場合に、前記格納手段の空き容量を予測し、当該予測結果に基づいて前記情報記憶処理を制御することを特徴とする。
【００１７】
請求項１０の発明に係る画像処理システムは、請求項１から請求項８の何れかに記載の少なくとも１の画像処理装置と、通信手段を介して前記画像処理装置と接続される少なくとも１の情報処理装置とから構成されることを特徴とする。
【００１８】
請求項１１の発明に係る処理プログラムは、装着手段を介して着脱自在に装着される格納手段に格納されている情報または前記画像処理手段による処理結果を記憶する記憶過程と、前記格納手段に格納されている情報を判定する判定過程と、該判定結果に応じて、前記格納手段への情報記憶処理を制御する制御過程とを演算手段に実行させることを特徴とする。
【発明の効果】
【００１９】
本発明によれば以下の効果を奏することができる。
【００２０】
すなわち、請求項１に記載の発明によれば、本構成を有していない場合に比較して、利便性を向上させる画像処理装置を提供することができる。
【００２１】
請求項２に記載の発明によれば、本構成を有していない場合に比較して、判定結果に応じて格納手段に格納されている情報を削除または移動させて利便性を向上させる画像処理装置を提供することができる。
【００２２】
請求項３に記載の発明によれば、本構成を有していない場合に比較して、利便性をより向上させる画像処理装置を提供することができる。
【００２３】
請求項４に記載の発明によれば、本構成を有していない場合に比較して、情報の解像度、階調、色数の少なくとも一つを変更して、効率的に記憶させて利便性をより向上させる画像処理装置を提供することができる。
【００２４】
請求項５に記載の発明によれば、本構成を有していない場合に比較して、情報の圧縮率を変更して、効率的に記憶させて利便性をより向上させる画像処理装置を提供することができる。
【００２５】
請求項６に記載の発明によれば、本構成を有していない場合に比較して、利便性を一層向上させる画像処理装置を提供することができる。
【００２６】
請求項７に記載の発明によれば、本構成を有していない場合に比較して、格納手段における情報のオーバーフローが検知された場合に記憶手段による記憶処理を中断して、利便性を向上させる画像処理装置を提供することができる。
【００２７】
請求項８に記載の発明によれば、本構成を有していない場合に比較して、利便性をより一層向上させる画像処理装置を提供することができる。
【００２８】
請求項９に記載の発明によれば、本構成を有していない場合に比較して、利便性をより向上させる画像処理装置を提供することができる。
【００２９】
請求項１０に記載の発明によれば、本構成を有していない場合に比較して、利便性を向上させる画像処理システムを提供することができる。
【００３０】
請求項１１に記載の発明によれば、本構成を有していない場合に比較して、利便性を向上させる処理プログラムを提供することができる。
【図面の簡単な説明】
【００３１】
【図１】実施の形態に係る画像処理装置ＰＲ１の概略構成を示す外観図である。
【図２】実施の形態に係る画像処理装置ＰＲ１の機能構成を示す機能ブロックである。
【図３】実施の形態に係る画像処理装置ＰＲ１における画像処理の処理手順を示すフローチャートである。
【図４】実施の形態に係る画像処理装置ＰＲ１における画像処理の処理手順を示すフローチャートである。
【発明を実施するための形態】
【００３２】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００３３】
図１から図４を参照して、本発明についての実施の形態に係る画像処理装置ＰＲ１について説明する。
【００３４】
なお、本実施の形態に係る画像処理装置ＰＲ１は、プリンタ機能およびスキャナ機能等を備えるいわゆる複合機であるものとする。
【００３５】
図１に示すように、画像処理装置の本体１００の上部に原稿台１０２および各種表示および操作を行う報知部１０３が設けられ、その原稿台１０２上に自動原稿送り装置１０４が設けられている。
【００３６】
報知部１０３は、例えば液晶タッチパネル等で構成され、スタートキー、テンキー、コピーキー、スキャンキー、プリントキー、ファクシミリキー、表示画面などを備えている。
【００３７】
本体１００の下部には、各種サイズの印刷用紙が収容された複数の収容カセット１０５が設けられている。
【００３８】
また、本体１００の側部に、プリントされた用紙の排出を受ける排紙ユニット（図示せず）を設けるようにしてもよい。
【００３９】
また、本体１００の他方の側面には、電源スイッチ１０７、ＵＳＢポート（ホスト用ＵＳＢポート１０８ａ，１０８ｂ：装着手段の一例）が設けられている。
【００４０】
ホスト用ＵＳＢポート１０８ａ，１０８ｂには、少なくとも一つの情報を格納する格納手段としてのＵＳＢメモリ１１０やＵＳＢ接続されるハードディスクドライブ（図示せず）などが接続される。
【００４１】
本体１００が備える主要な機能としては、スキャナ機能やネットワークプリント機能がある。
【００４２】
スキャナ機能は、本体１００が備える画像読取部としてのスキャナ部２００（図２参照）でスキャンした画像データを本体１００内の記憶手段の一例としてのハードディスク装置１５２に記憶する機能と、本体１００でスキャンした画像データを本体１００内のハードディスク装置１５２に記憶または外部機器に記憶させる所謂スキャントゥーファイル機能と、本体１００でスキャンした画像データを電子メールの形で外部機器に送る所謂スキャントゥメール機能などがある。
【００４３】
ネットワークプリント機能は、ＵＳＢメモリ１１０から本体１００に送られる画像データを本体１００が備える画像形成部としてのプリンタ部３００（図２参照）でプリントする機能である。
【００４４】
ここで、ＵＳＢメモリについて、簡単に説明する。
【００４５】
ＵＳＢメモリとは、ＵＳＢポート（ＵＳＢコネクタ）に接続して使用する不揮発性メモリの一種としてのフラッシュメモリを内蔵した小型の記憶装置である。
【００４６】
ＵＳＢの規格には元々、「ＵＳＢ  Ｍａｓｓ  Ｓｔｏｒａｇｅ  Ｃｌａｓｓ」という、ハードディスクなどをリムーバブルドライブとして認識するための仕様が入っており、ＵＳＢメモリの殆どはこの仕様に準拠している。
【００４７】
次に、図２を参照して、画像処理装置ＰＲ１の機能構成について説明する。なお、図１に基づいて説明した構成については、同一符号を付して説明は省略する。
【００４８】
画像処理装置ＰＲ１は、画像処理を行う画像処理手段１６０としてのスキャナ部２００（画像読取部）と、ＵＳＢポート１０８を介してＵＳＢメモリ１１０に格納されている情報または画像処理手段１６０による処理結果を記憶するハードディスク装置１５２と、ＵＳＢメモリ１１０に格納されている情報の状態を判定する処理情報判定部１５３（判定手段の一例）と、処理情報判定部１５３の判定結果に応じて、ハードディスク装置１５２によるＵＳＢメモリ１１０に対する情報記憶処理を制御するマイクロコンピュータ等で構成される制御部１５０と、ＬＡＮやインターネット等のネットワークＮとの通信を行うネットワークインターフェイス等で構成される通信部１５４と、ＵＳＢメモリ１１０が格納しているＩＤ（識別情報）を取得するＩＤ取得部１５５と、ＵＳＢメモリ１１０における情報のオーバーフローの有無を検知するオーバーフロー検知部１７０（検知手段の一例）と、オーバーフロー検知部１７０の検知に基づいてＵＳＢメモリ１１０をＵＳＢポート１０８から外してもよいか否か等の情報を報知する報知部１０３とを備えている。
【００４９】
また、ＵＳＢポート１０８へのＵＳＢメモリ１１０の着脱を検出する着脱検出部１８０（検出手段の一例）をさらに備えている。
【００５０】
なお、報知部１０３は、上述のように液晶タッチパネル等で構成される操作部１０３ａと表示部１０３ｂとを備えている。
【００５１】
また、制御部１５０は、ＩＤ取得部１５５で取得されたＩＤを比較するＩＤ比較部１５０ａを備えている。
【００５２】
また、ハードディスク装置１５２内には、スキャナ部２００で読み取られた画像情報や、ＵＳＢメモリ１１０から入力された画像情報を記憶する画像記憶領域１５２ａと、ＩＤ取得部１５５で取得されたＩＤを記憶するＩＤ記憶領域１５２ｂと、ＵＳＢメモリ１１０から入力されたファイル情報を記憶するファイル記憶領域１５２ｃが少なくとも設けられている。
【００５３】
そして、制御部１５０は、処理情報判定部１５３の判定結果に応じて、ＵＳＢメモリ１１０に格納されている情報を削除または移動させるように制御するようにしてもよい。
【００５４】
具体的には、ＵＳＢメモリ１１０に何らかの情報（画像データやテキストデータ等）が格納されていると判定された場合に、そのデータを削除したり、前出のハードディスク装置１５２に移動させたりする。
【００５５】
これにより、スキャナ部２００で読み取られた画像情報を格納する領域が確保される。
【００５６】
また、制御部１５０は、処理情報判定部１５３の判定結果に応じて、ＵＳＢメモリ１１０に格納されている情報を予め定められた処理単位（例えば、バンド単位）でハードディスク装置１５２に戻して、当該処理単位で編集処理を行うようにしてもよい。
【００５７】
また、前記編集処理は、情報の解像度、階調、色数の少なくとも一つを変更する処理であるようにしてもよい。
【００５８】
例えば、情報が画像データである場合に、解像度、階調、色数の少なくとも一つを減少させることにより画像データの容量を低減させ、ＵＳＢメモリ１１０の容量内に収め、ＵＳＢメモリ１１０の差し替え等の手間を省いて利便性が向上される。
【００５９】
また、前記編集処理は、情報（画像データ等）の圧縮率を変更する処理であるようにしてもよい。
【００６０】
例えば、画像データがＪＰＥＧ形式で保存されている場合に、１００％→７５％→５０％→２５％と圧縮率を変更した場合に、元画像の容量が２８９ＫＢｙｔｅである場合に、５１ＫＢｙｔｅ→３４ＫＢｙｔｅ→２３ＫＢｙｔｅに低減され、ＵＳＢメモリ１１０の容量内に余裕をもって収め、ＵＳＢメモリ１１０の差し替え等の手間を省いて利便性が向上される。
【００６１】
また、制御部１５０は、オーバーフロー検知部１７０で、ＵＳＢメモリ１１０における情報のオーバーフローが検知された場合に、ハードディスク装置１５２からの情報記憶処理を中断するように制御してもよい。
【００６２】
また、ＵＳＢメモリ１１０に格納される情報は、各情報の識別情報（ＩＤ情報）を含むようにし、制御部１５０は、識別情報に基づいてハードディスク装置１５２からＵＳＢメモリ１１０への情報記憶処理を制御するようにしてもよい。
【００６３】
このように、本実施の形態に係る画像処理装置ＰＲ１では、スキャン処理を実行しながらスキャンデータ（画像データ）をＵＳＢメモリ１１０へ転送し、メモリオーバによる転送中断が発生した場合に、ＵＳＢメモリ１１０の内容によって情報記憶処理を変えている。
【００６４】
これにより、ＵＳＢメモリ１１０の差し替え等の手間を省いて利便性が向上される。
【００６５】
また、制御部１５０は、ハードディスク装置１５２からＵＳＢメモリ１１０への情報記憶処理の中断中において、着脱検出部１８０によってＵＳＢメモリ１１０のＵＳＢポート１０８への再装着が検出された場合に、ＵＳＢメモリ１１０の空き容量を予測し、当該予測結果に基づいて情報記憶処理を制御するようにしてもよい。
【００６６】
また、ＵＳＢメモリ１１０に別の情報が存在する場合に、表示部１０３ｂにメモリフルの状態を表示し、別ファイルを削除の上、ＵＳＢメモリの再挿入を促すメッセージを表示するようにしてもよい。
【００６７】
また、上述したような解像度、階調、色数の変更と、圧縮率の変更をユーザに操作部１０３ａを介して選択させるようにしてもよい。
【００６８】
また、ＵＳＢメモリ１１０の空き容量に応じて、表示部１０３ｂにＵＳＢメモリの再挿入するメッセージを表示するようにしてもよい。
【００６９】
この場合において、ＵＳＢメモリ１１０に記憶させる情報のページの途中でのメモリオーバが発生した事態に対応するため、ＵＳＢメモリ１１０に記録されているデータが途中のものであることを識別情報に基づいて識別するようにしてもよい。
【００７０】
識別情報の記憶方法としては、例えば、不完全ファイル（画像データ）とは別の中間ファイルに記憶させるか、不完全ファイルの一部（ＴＩＦＦ、ＪＰＥＧ等の画像記録フォーマットのヘッダー部分など）に記録させるようにしてもよい。または、不完全ファイルのファイル名に識別情報を記録させるようにしてもよい。
【００７１】
次に、図３および図４に示すフローチャートを参照して、本実施の形態に係る画像処理装置ＰＲ１で実行される画像処理の処理手順について説明する。
【００７２】
まず、ステップＳ１０では、画像読取部２００、画像編集部１５０ａ、制御部１５０に読み取り準備を指示してステップＳ１１に移行する。
【００７３】
ステップＳ１１では、ＵＳＢメモリ１１０の空き容量が、所定サイズ以上あるか否かが判定され、「Ｙｅｓ」の場合にはステップＳ１２に移行し、「Ｎｏ」の場合にはステップＳ１４に移行する。
【００７４】
ステップＳ１２では、画像読取部２００に読み取り開始もしくは読み取り継続を指示してステップＳ１３に移行する。
【００７５】
ステップＳ１３では、所定単位（バンド単位等）の画像読み取り処理を行ってステップＳ１１に戻る。
【００７６】
一方、ステップＳ１４では、ＵＳＢメモリ１１０に削除可能なファイル（情報）が有るか否かが判定され、「Ｙｅｓ」の場合にはステップＳ１５に移行し、「Ｎｏ」の場合にはステップＳ１８に移行する。
【００７７】
ステップＳ１５では、制御部１５０に、中間ファイルの作成を指示してステップＳ１６に移行する。
【００７８】
ステップＳ１６では、表示部１０３ｂにメモリ不足のメッセージを表示してステップＳ１７に移行する。
【００７９】
ステップＳ１７では、着脱検出部１８０によりＵＳＢメモリ１１０の再装着が検出されたか否かが判定され、「Ｎｏ」の場合には待機し、「Ｙｅｓ」の場合にはステップＳ１１に戻って同様の処理を行う。
【００８０】
一方、ステップＳ１８では、表示部１０３ｂに選択メッセージを表示してステップＳ１９に移行する。
【００８１】
ステップＳ１９では、低解像度に変換するか否かが判定され、「Ｙｅｓ」の場合にはステップＳ２０に移行し、「Ｎｏ」の場合にはステップＳ２２に移行する。
【００８２】
ステップＳ２０では、ＵＳＢメモリ１１０に格納されている途中データの解像度を変更し、ＵＳＢメモリ１１０に書き戻してステップＳ２１に移行する。
【００８３】
ステップＳ２１では、画像読取部２００、画像編集部１５０ａ、制御部１５０に解像度を変更して読み取り準備を行うように指示してステップＳ１１に戻る。
【００８４】
一方、ステップＳ２２では、表示部１０３ｂに、大きな容量のＵＳＢメモリに交換するように指示するメッセージを表示してステップＳ２３に移行する。
【００８５】
ステップＳ２３では、ＵＳＢポート１０８に別のＵＳＢメモリ１１０が再装着されたか否かが判定され、「Ｎｏ」の場合には待機し、「Ｙｅｓ」の場合にはステップＳ１１に戻る。
【００８６】
これにより、画像処理装置ＰＲ１が比較的小容量のメモリしか搭載しない場合において、着脱自在なＵＳＢメモリ１１０がメモリオーバしても、ユーザは再度スキャンする必要がなくスキャンデータが転送され、利便性が向上される。
【００８７】
また１ページも格納できないようなケースであっても再度スキャンする手間が省かれ、利便性が向上される。
【００８８】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【００８９】
また、プログラムを用いる場合には、ネットワークを介して提供し、或いはＣＤ−ＲＯＭ等の記録媒体に格納して提供することが可能である。
【００９０】
即ち、画像処理プログラムを含む所定のプログラムを記録媒体としてのハードディスク等の記憶装置に記録する場合に限らず、当該所定のプログラムを次のようにして提供することも可能である。
【００９１】
例えば、所定のプログラムをＲＯＭに格納しておき、ＣＰＵが、この所定のプログラムをこのＲＯＭから主記憶装置へローディングして実行するようにしてもよい。
【００９２】
また、上記所定のプログラムを、ＤＶＤ−ＲＯＭ、ＣＤ−ＲＯＭ、ＭＯ（光磁気ディスク）、フレキシブルディスク、などのコンピュータ読み取り可能な記録媒体に格納して配布するようにしてもよい。
【００９３】
さらには、画像形成装置等を通信回線（例えばインターネット）を介してサーバ装置あるいはホストコンピュータと接続するようにし、サーバ装置あるいはホストコンピュータから上記所定のプログラムをダウンロードした後、この所定のプログラムを実行するようにしてもよい。この場合、この所定のプログラムのダウンロード先としては、ＲＡＭ等のメモリやハードディスクなどの記憶装置（記録媒体）が挙げられる。
【産業上の利用可能性】
【００９４】
本発明による画像処理装置、画像処理システムおよび処理プログラムは、スキャナ装置を備えるプリンタや複合機等に適用することができる。
【符号の説明】
【００９５】
ＰＲ１  画像処理装置
１００  本体
１０２  原稿台
１０３  報知部
１０３ａ  操作部
１０３ｂ  表示部
１０４  自動原稿送り装置
１０５  収容カセット
１０７  電源スイッチ
１０８  ＵＳＢポート
１１０  ＵＳＢメモリ
１５０  制御部
１５０ａ  画像編集部
１５０ｂ  ＩＤ比較部
１５０ｃ  空き容量予測部
１５２  ハードディスク装置
１５２ａ  画像記憶領域
１５２ｂ  ＩＤ記憶領域
１５３  処理情報判定部
１５４  通信部
１５５  取得部
１６０  画像処理手段
１７０  処理情報判定部
１８０  着脱検出部
２００  スキャナ部
３００  プリンタ部
【図１】
2011155373.tif 000003
【図２】
2011155373.tif 000004
【図３】
2011155373.tif 000005
【図４】
2011155373.tif 000006